(57)【特許請求の範囲】
【請求項１】
１６／９フォーマットの表示スクリーンを有し、既知のタイプの垂直及び水平走査回路を具えている画像表示装置であって、垂直走査回路がのこぎり波を供給するタイプのものであり、該のこぎり波の傾斜が、傾斜制御値を制御入力端子に割当てることによって調整可能であり、且つ前記装置が、スクリーン上に表示される画像の寸法を変えるために走査の振幅を調整する指令を受取って、ズーム機能を行なわせるための制御受信機を具えている画像表示装置において、
前記傾斜制御値がディジタル値であり、且つ前記垂直走査回路が、前記のこぎり波の傾斜を調整する際に、画像の上限の位置が変わらないようにするタイプのものであり、前記制御受信機が画像の下側部分の位置を制御する指令をユーザから受取る手段を具えており、該制御受信機が、前記指令を解釈すると共に適合する傾斜制御値を前記制御入力端子に供給する手段を具備したプロセッサに接続されるようにしたことを特徴とする画像表示装置。
【請求項２】
シフトキーを具えている遠隔制御ユニットを具備し、前記シフトキーのうち少なくとも１つのキーが下方へのシフト用に用いられ、他の１つのキーが上方へのシフト用に用いられる請求項１に記載の画像表示装置において、前記プロセッサに、前記制御受信機が前記一方又は他方のキーのいずれかから信号を受信すると、前記傾斜制御値を一方向又は他方向に変える手段を設けたことを特徴とする画像表示装置。
【請求項３】
前記プロセッサに、前記シフトキーの１つを作動させると常に或る増分値を前記傾斜制御値に加える手段を設けたことを特徴とする請求項２に記載の画像表示装置。
【請求項４】
様々な選択テレビジョン番組を受信するのに好適な請求項１に記載の画像表示装置において、該装置がプロセッサに番組の変更を知らせる手段を具え、且つ前記プロセッサに、番組変更中は前記傾斜制御値をその公称値に戻す手段を設けたことを特徴とする画像表示装置。
【請求項５】
種々のフォーマット画像を種々の方法にて表示することのできる請求項１に記載の画像表示装置において、該表示装置がフォーマットの変更をプロセッサに知らせる手段を具え、且つ前記プロセッサに、フォーマット変更中は傾斜制御を公称状態に戻す手段を設けたことを特徴とする画像表示装置。
【請求項６】
請求項１に記載の画像表示装置において、該装置が、画像の下側部分を持上げるためにシフトキーを作動させる際にスクリーン上に標識を表示する手段を具えていることを特徴とする画像表示装置。
【請求項７】
スクリーン上に標識を表示する手段が、シフトキーを作動させると、該標識を一時的に表示することを特徴とする請求項６に記載の画像表示装置。
【請求項８】
請求項７に記載の画像表示装置において、該装置が、キーの連続作動に応答して前記傾斜制御がその公称値に戻った際にスクリーン上の標識の表示を中止する手段を具えていることを特徴とする画像表示装置。
【発明の詳細な説明】
【０００１】
【発明の属する技術分野】
本発明は、１６／９フォーマットの表示スクリーンを有し、既知のタイプの垂直及び水平走査回路を具えている画像表示装置であって、垂直走査回路がのこぎり波を供給するタイプのものであり、該のこぎり波の傾斜が、傾斜制御値を制御入力端子に割当てることによって調整可能であり、且つ前記装置が、スクリーン上に表示される画像の寸法を変えるために走査の振幅を調整する指令を受取って、ズーム機能を行なわせるための制御受信機を具えている画像表示装置に関するものである。
【０００２】
【従来の技術】
冒頭にて述べた種類の画像表示装置は米国特許第５，４８６，８７０号から既知である。
レターボックスフォーマットの画像が、その画像の外側に置かれるサブタイトルと一緒に伝送される従来の装置では、画像にサブタイトルがない時における画像の寸法に対して、その画像の全体的な寸法を小さくすることによりサブタイトルを見えるようにする必要がある。
【０００３】
【発明が解決しようとする課題】
本発明の目的は、上述したような場合に必要とされる画像寸法の縮小を抑えることにある。
【０００４】
【課題を解決するための手段】
本発明は、冒頭にて述べた画像表示装置において、前記傾斜制御値がディジタル値であり、且つ前記垂直走査回路が、前記のこぎり波の傾斜を調整する際に、画像の上限の位置が変わらないようにするタイプのものであり、前記制御受信機が画像の下側部分の位置を制御する指令をユーザから受取る手段を具えており、該制御受信機が、前記指令を解釈すると共に適合する傾斜制御値を前記制御入力端子に供給する手段を具備したプロセッサに接続されるようにしたことを特徴とする。
【０００５】
このような本発明によれば、ユーザが“  アブノーマル”な傾斜値を選定して、表示画像の下側部分を持上げるようにすることができる。
【０００６】
画像表示装置には、シフトキーを具えている遠隔制御ユニットを設け、シフトキーのうちの少なくとも１つのキーを下方へのシフト用に用い、他の１つのキーを上方へのシフト用に用いると共に、プロセッサには、制御受信機が前記一方又は他方のキーのいずれかからの信号を受信すると、前記傾斜制御値を一方向又は他方向に変える手段を設けるのが有利である。
【０００７】
このようにすれば、のこぎり波の傾斜を制御するための特殊なキーを設ける必要がなく、キーの数が多くならないため有利である。
【０００８】
プロセッサには、前記シフトキーの１つを作動させると常に或る増分値を前記傾斜制御値に加える手段を設けるのが好適である。
【０００９】
このようにすることにより、精密な制御がより一層簡単に得られる。
本発明の他の好適例では、様々な選択テレビジョン番組を受信し得る画像表示装置に、番組の変更をプロセッサに知らせる手段を設け、プロセッサには、番組変更が起った際に傾斜制御値をその公称値に戻す手段を設けるようにする。
【００１０】
このようにするのが有利である理由は、番組の変更中には新たな番組が前の番組と同じ制御を必要とするかどうか予知するのが難しいからである。
種々のフォーマットの画像を種々の態様で表示することのできる装置にはフォーマットの変更をプロセッサに知らせる手段を設け、プロセッサには、フォーマットの変更が生じた際に傾斜制御を公称状態に戻す手段を設けるのが好適である。
【００１１】
このようにすると有利である理由は、フォーマットの変更後に新たなフォーマットが前のフォーマットと同じ制御を必要とすることはまず有り得ないからである。
【００１２】
さらに本発明の好適例では、画像の下側部分を持上げる目的のために、のこぎり波の傾斜を制御している間、スクリーン上に標識を表示する手段を表示装置に設けるようにする。
【００１３】
このようにすればユーザは彼が指令を誤ることがなく、しかも得られる効果が正しいことを確めることができる。
画像表示装置には、キーの連続作動に応答して、傾斜制御がその公称値に戻った際にスクリーン上の標識の表示を中止する手段も設けるようにするのが好適である。
【００１４】
このようにすれば、ユーザには画像の下側部分が、再びこの位置を見つけるために番組又はフォーマットを変える必要なく、再び公称位置にあることが知らされる。
【００１５】
【発明の実施の形態】
本発明をテレビジョン装置につき説明するが、本発明は任意の画像表示装置、例えばモニタにも適用することができる。
【００１６】
図１にブロック図にて示してあるテレビジョン装置は、例えばアンテナ１から信号を受信して、その信号の周波数を後段のＩＦビデオ増幅器３及びＩＦオーディオ増幅器４用の中間周波数に変換するチューナ２を具えている。
【００１７】
ＩＦオーディオ増幅器４には復調器９を後続させ、これによりベースバンドのオーディオ信号をオーディオ電力増幅器１０に供給してから、スピーカ１６へと送給する。
【００１８】
ＩＦビデオ増幅器３にはビデオ前置増幅器６用のビデオ信号をベースバンドにて発生する復調器を含む要素５を後続させ、前置増幅器６には信号ａｄ−ｈｏｃを陰極線管１１の電極に供給するＲＦビデオ増幅器１０６を後続させる。
【００１９】
要素５は前記復調器によって供給される信号から同期信号を抽出する信号分離器も具えており、同期信号はライン走査電力段７及び垂直又はフィールド走査するのこぎり波を発生して直接接続線を介してフィールド走査電力段１０８に供給する段８に供給される。ライン及びフィールド電力段７及び１０８はメインのライン及びフィールド偏向コイル１４及び１５に電流を供給する。
【００２０】
ビデオ、オーディオ及び同期信号はサテライトデコーダまたはビデオレコーダの如き外部ソースから供給することができる。
【００２１】
テレビジョン受信機には、その機能の全体を制御するプロセッサ１２、通常はマイクロプロセッサを設ける。最近のテレビジョン受信機の多くの回路はディジタル的に制御される回路であり、即ち種々の制御は制御入力端子に供給されるディジタル値によって得られる。これらのディジタル値はマイクロプロセッサによって管理され、このマイクロプロセッサには特に、種々のテレビジョン制御に係わる電流値の如きデータを記憶するためのメモリ１２０を関連付ける。マイクロプロセッサはバスによってテレビジョン装置の全ての要素に接続され、このバスの一部１１２はフィールド走査するのこぎり波を発生するための回路８をプログラミングするために入力端子５８に接続する。
【００２２】
制御受信器２２は遠隔制御ユニットからの赤外線信号を既知の方法にて受信して、これらの信号をマイクロプロセッサ１２に供給するために設ける。
フィールド走査するのこぎり波を発生するための回路８を実現する既知の方法では、電流発生器によってキャパシタンスを充電することによってのこぎり波を得る。当業者は入力端子へ制御値を割当てることによって電流を可調整とする電流発生器を容易に作製することができ、しかもこの発生器を前記キャパシタンスの充電用に用いることができる。従って、制御入力端子へ傾斜制御値を割当てることによって傾斜を調整できるのこぎり波を発生するフィールド走査回路を作製することができる。フィリップス社の回路ＴＤＡ８３６６の如き、それぞれ単独でテレビジョン受信機の複数の構成要素の役割を果たす市販の回路、特に集積回路もある。このような回路ＴＤＡ８３６６は図１に破線で囲んだそれぞれの要素を特にフィールド走査するのこぎり波発生用の回路８と一緒に単一ユニット上にアセンブルし、しかも特に水平及び垂直走査に関連する２０数個のパラメータや、ビデオ信号の特性等を調整できるようにする。この目的のために、回路ＴＤＡ８３６６は標準バス（標準Ｉ２Ｃ）用の入力端子を有しており、この入力端子によりマイクロプロセッサから制御データを導入し、これにより回路ＴＤＡ８３６６をアドレス指定した後に、調整すべき特定のパラメータを規定するためにサブアドレスを指定し、次いでこのパラメータの値を指定してから回路ＴＤＡ８３６６そのものに記憶させる。垂直走査用ののこぎり波の傾斜は０〜６３の値をサブアドレス＆Ｈ０８に対応してレジスタに割当てることによって調整することができる。
【００２３】
垂直走査電流は図２に、この図のピーク点がスクリーン上のスポットの最高位置に相当するように示してある。この位置は、走査電流の振幅がスポットを図３に見られるようにスクリーンの高さよりも高い大きさに動かす場合にはスクリーンを越して位置することになる。３つののこぎり波曲線２６，２７，２８はプログラミング入力端子にそれぞれのディジタル値を供給することによって得られる電流制御の例を示している。画像２９の上側部分は常に同じ位置のままであるが、画像の下側部分の位置は僅かづつ変化している。
【００２４】
図３Ａでは１６／９フォーマットの表示スクリーン３１上に木の画像が表示されている。この画像は実際には外側の画像輪郭が点線３０によって示される４／３フォーマットのＴＶ番組の放送から来るものとすることができる。４／３フォーマットでは、シネマスコープフォーマットのフィルムが、４／３スクリーンの場合に有効画像の上側と下側部分に黒バーが呈示されるようにして伝送されることがよくあり、このタイプの画像をレターボックスと称している。１６／９スクリーンの場合には、この１６／９スクリーンに表示される画像の寸法を変えられるように一方の走査の振幅を変更し得るようにするのが興味のあることである。このような可能性を提供する１つの方法が前述した米国特許第５，４８６，８７０号に詳細に開示されている。垂直方向の振幅に関する限り、斯かる可能性は垂直方向の振幅を制御することのできる回路ＴＤＡ８３６６のプログラミングに基づくものであることも明らかである。この可能性を用いると、この場合における４／３フォーマットのレターボックス画像が拡大されて、この画像は見掛けの外側輪郭３０を有するようになる。しかし、スクリーン３１の外側の部分は見えず、このことはこれらの部分が黒バーとなっているため、めんどうなことにはならない。それでも、この場合にサブタイトル３２が下側の黒バーの中につけられているようなことが起り得る。
【００２５】
図３Ｂにはフィールド走査するのこぎり波の傾斜を小さくした同じ画像を示してある。画像の上側部分は常にスクリーンの外側の破線２９で示した同じ位置にあるが、画像の下側部分３０はサブタイトル３２を見れるように高くする。マイクロプロセッサはスクリーン上に標識、たとえば矢印１３２を表示させるための既知の関連手段を含むか、又は有している。こうした手段は画像の下側部分を持ち上げるためにシフトキーを用いる場合に作動させる。矢印１３２は一時的に表示され、これはキーを作動させることに応答して、のこぎり波の傾斜がその公称値を再びとるように制御されると消去される。
【００２６】
テレビジョン受信機を制御することに関する一般に知られている処置は、スクリーン上に表示されるメニューを使用するものである。図４に示した遠隔制御ユニットはスタンバイキー１７，メニューキー２５、一対のボリューム制御キー２４、番組選択用の一組の数字キー２３、パラメータの値を増減するためのキー１３、４個のキーの組、特にメニューからページを呼び出すためのキー１８〜２１を既知の態様にて具えている。パラメータを制御するためには一般に幾つかのページを呼出す必要がある。画像の下側部分の位置に対する制御処置を簡単にするために、遠隔制御ユニットの４つのキー１８〜２１の組にはメニューからページを呼出す機能が与えられているだけでなく、簡単な取得機能も与えられる。この取得機能はスクリーン上にメニューがない場合、即ち実行するメニュー番組がない場合に作動する。従って、キー１９又はキー２１を押すと、マイクロプロセッサがサブアドレス＆Ｈ０８用のレジスタに予じめ固定されている値に基づいてこの値を増分させ、これにより傾斜を大きくしたり（キー１９）又は小さくしたり（キー２１）する。その後のキーの各動作がこのレジスタの値を増やし続けて、サブタイトルの位置を最適に調整するようにする。このレジスタの値はテレビジョン受信機の製造中に設定される公称値より高い値には決してなり得ない（このことは、ユーザが画像の下側部分を図３Ａに示した位置よりも低くすることはできないことを意味する）。レジスタ内に存在する公称値は矢印１３２を消去する。
【図面の簡単な説明】
【図１】テレビジョン受信機のブロック図である。
【図２】のこぎり波電流が傾斜制御によってどのように変調されるかを示している線図である。
【図３】テレビジョン装置のスクリーン上に現われる効果を示す説明図である。
【図４】テレビジョン受信機用のシフトキーを具えている遠隔制御ユニットの平面図である。
【符号の説明】
１  アンテナ
２  チューナ
３  ＩＦビデオ増幅器
４  ＩＦオーディオ増幅器
５  復調器兼信号分離器
６  ビデオ前置増幅器
７  ライン走査電力段
８  フィールド走査用のこぎり波発生器
９  復調器
１０  オーディオ電力増幅器
１１  陰極線管
１２  プロセッサ
１３  パラメータ増減キー
１４  ライン偏向コイル
１５  フィールド偏向コイル
１６  スピーカ
１７  スタンバイキー
１８〜２１  ページ呼出兼のこぎり波の傾斜増減キー
２２  制御受信機
２３  番組選択キー
２４  ボリューム制御キー
２５  メニューキー
２９  画像の上側部分
３０  見掛けの外側輪郭
３１  表示スクリーン
３２  サブタイトル
１０６  ＲＦビデオ増幅器
１０８  フィールド走査電力段
１１２  バス
１２０  メモリ
【図１】
0003795967.tif 000002
【図２】
0003795967.tif 000003
【図３】
0003795967.tif 000004
【図４】
0003795967.tif 000005